(57)【要約】【課題】ナンバープレートを固定しているボルトを緩める際に使用されるボルトの頭部を外部に露呈させることを著しく困難にすることができるナンバープレートの保護具の提供を課題とする。【解決手段】ナンバープレート１を固定するためのボルト２の頭部２ａおよびワッシャー２ｂとナンバープレート１の表面との間にはスペーサ１１によって空隙が形成されている。冠着部材２０は、ボルト２の頭部２ａおよびワッシャー２ｂに冠着する。この冠着部材２０の側壁部２２の下端部には、ボルト２の頭部２ａおよびワッシャー２ｂとナンバープレート１の表面との間に挿入するボルト用係止爪２３が形成されている。中空円筒形の形状を有する周壁部材３０の内壁面の下端部には円状突起部が形成されている。この円状突起部が、冠着部材２０の側壁部２２を押圧し、周壁部材用係止爪２４，２５はこの円状突起部に係合する。【選択図】  図４
2006088826.tif 000002
【特許請求の範囲】
【請求項１】
車体にボルトで固定されるナンバープレートを保護するナンバープレート保護具であっ
て、
前記ナンバープレートを前記車体に前記ボルトで固定した際、前記ボルトの頭部の下端
面に当接して、前記ナンバープレートの表面と前記ボルトの頭部の下端面との間に空隙を
形成するスペーサを有し、前記ナンバープレートと前記車体との間に配設されて前記ナン
バープレートの裏面および周縁部を覆う保護板と、
天板部と該天板部の周縁部から下方に延在する複数枚の側壁部とを有し、前記ボルトの
頭部に冠着する冠着部材であって、前記複数枚の側壁部の下端部には、前記ボルトの頭部
に冠着した際、前記ナンバープレートの表面と前記ボルトの頭部の下端面との間に形成さ
れている空隙部分に挿入可能なボルト用係止爪が形成されている冠着部材と、
前記ボルトの頭部に冠着した前記冠着部材の外側面部を覆う中空円筒状の周壁部材であ
って、該周壁部材の内周壁面の下端部には、内側方向に突設され前記冠着部材の側壁部を
押圧する円状突起部が形成されている周壁部材とから構成され、
前記冠着部材には、前記周壁部材の前記円状突起部の上面部分に係合する周壁部材用係
止爪であって、前記天板部の周縁部から下方に延在する周壁部材用係止爪が形成されてい
ることを特徴とするナンバープレート保護具。
【請求項２】
前記スペーサは、接着剤が塗布されたシートとによって前記保護板に固定されているこ
とを特徴とする請求項１に記載のナンバープレート保護具。
【請求項３】
前記中空円筒状の前記周壁部材の内側に嵌入可能な中空円筒状の形状を有し、その内径
が前記周壁部材の前記円状突起部の上面部分の内径以下である係止解除具をさらに具える
ことを特徴とする請求項１または２に記載のナンバープレート保護具。
【発明の詳細な説明】
【技術分野】
【０００１】
本発明は、自動車等の車体に取付けられているナンバープレートを保護するナンバープ
レート保護具に関するものである。
【背景技術】
【０００２】
図８に示したように、従来からナンバープレート１はボルト２によって自動車等の車体
Ｍに固定されている。
【０００３】
近年、駐車中の自動車等の車体Ｍからナンバープレート１のみを盗むという犯罪が増加
している。この犯罪を行う者は、一般に市販されているドライバ等の器具を用いて、ボル
ト２を外し短時間のうちにナンバープレート１のみを盗んでいく。
【０００４】
このような犯罪を防ぐために、図９に示したような特殊な形状の凹部３が形成されてい
るボルト２が既に提案されている。図９に示したボルト２は、凹部３に嵌合する凸部４を
有する専用の器具５を用いた場合のみ容易に車体Ｍから外せるように構成されている。
【発明の開示】
【発明が解決しようとする課題】
【０００５】
しかしながら、図９に示したボルト２を用いてナンバープレート１を車体Ｍに固定した
場合でも、ボルト２の頭部が露出した状態となっているので、ペンチやプライヤー等の一
般に市販されている工具を用いてボルト２を緩め、犯罪者がナンバープレート１を比較的
短時間で盗むことは可能であった。
【課題を解決するための手段】
【０００６】
以上の問題を解決するために本発明は、車体にボルトで固定されるナンバープレートを
保護するナンバープレート保護具であって、前記ナンバープレートを前記車体に前記ボル
トで固定した際、前記ボルトの頭部の下端面に当接して、前記ナンバープレートの表面と
前記ボルトの頭部の下端面との間に空隙を形成するスペーサを有し、前記ナンバープレー
トと前記車体との間に配設されて前記ナンバープレートの裏面および周縁部を覆う保護板
と、天板部と該天板部の周縁部から下方に延在する複数枚の側壁部とを有し、前記ボルト
の頭部に冠着する冠着部材であって、前記複数枚の側壁部の下端部には、前記ボルトの頭
部に冠着した際、前記ナンバープレートの表面と前記ボルトの頭部の下端面との間に形成
されている空隙部分に挿入可能なボルト用係止爪が形成されている冠着部材と、前記ボル
トの頭部に冠着した前記冠着部材の外側面部を覆う中空円筒状の周壁部材であって、該周
壁部材の内周壁面の下端部には、内側方向に突設され前記冠着部材の側壁部を押圧する円
状突起部が形成されている周壁部材とから構成され、前記冠着部材には、前記周壁部材の
前記円状突起部の上面部分に係合する周壁部材用係止爪であって、前記天板部の周縁部か
ら下方に延在する周壁部材用係止爪が形成されていることを特徴とするものである。ここ
で、前記スペーサは、接着剤が塗布されたシートとによって前記保護板に固定してもよい
。また、前記中空円筒状の前記周壁部材の内側に嵌入可能な中空円筒状の形状を有し、そ
の内径が前記周壁部材の前記円状突起部の上面部分の内径以下である係止解除具をさらに
具えることにしてもよい。
【発明の効果】
【０００７】
本発明によれば、ナンバープレートを固定しているボルトを緩める際に使用されるボル
トの頭部を外部に露呈させることを著しく困難にすることができるので、短時間のうちに
ナンバープレートを盗むことを困難にすることができる。
【発明を実施するための最良の形態】
【０００８】
以下、図面を用いて本発明の実施例を説明する。
【実施例１】
【０００９】
図１は本発明の実施例１が装着されているナンバープレートを示した斜視図であり、図
２はその分解斜視図である。
【００１０】
図１および図２において、１は車体Ｍに装着されるナンバープレートであり、１０はこ
のナンバープレート１の裏面と周縁部とを覆うことによりナンバープレート１全体を保護
するために従来から用いられている金属製の保護板である。
【００１１】
１１は、ボルト２の頭部の下端面に当接してこの下端面とナンバープレートの表面との
間に空隙を形成するために、保護板１０に配設されているスペーサである。１０ａはスペ
ーサ１１を嵌入するための凹部であり、スペーサ１１は凹部１０ａに嵌入された状態で接
着剤が塗布されたシート１２によって保護板１０に固定される。
【００１２】
２０はボルト２の頭部に冠着する冠着部材であり、３０は冠着部材２０の外側面を覆う
周壁部材である。本実施例１においては、冠着部材２０は金属によって構成し、周壁部材
３０も金属によって構成してあるが、この冠着部材２０を構成する材料や周壁部材３０を
構成する材料は、以上の材料に限定されるものではない。
【００１３】
ここで図３，図４を用いて冠着部材２０および周壁部材３０の構成を説明する。図３は
冠着部材２０および周壁部材３０の構成を示す分解斜視図であり、図４はボルト２の頭部
２ａに装着された状態での冠着部材２０および周壁部材３０の断面図である。なお図３お
よび図４において、２ｂはボルト２の頭部２ａの下端面に密着するように配設されている
ワッシャーである。
【００１４】
先ず、金属製の冠着部材２０の構成について説明する。
【００１５】
冠着部材２０は、天板部２１とこの天板部２１の周縁部から下方（天板部２１から視て
ボルト２の方向）に延在する複数枚の側壁部２２および周壁部材用係止爪２４，２５によ
って構成されている。
【００１６】
側壁部２２の下端部には、図４に示したように、ボルト２の頭部２ａおよびワッシャー
２ｂとナンバープレート１の表面との間にスペーサ１１によって形成される空隙Ｓに挿入
し、ワッシャー２ｂを介してボルト２の頭部２ａの下端面に当接するボルト用係止爪２３
が形成されている。
【００１７】
この金属製の弾性を有する冠着部材２０は、ボルト２の頭部２ａおよびワッシャー２ｂ
に容易に被せることができるようにその側壁部２２および周壁部材用係止爪２４，２５が
若干開いた状態に形成されている。
【００１８】
周壁部材３０の内周壁面の下端部には、図４に示したように、その全周に亘って内側方
向に突設された円状突起部３１が形成されている。この周壁部材３０の円状突起部３１に
押圧されることにより、冠着部材２０のボルト用係止爪２３は、ボルト２の頭部２ａの下
端面にワッシャー２ｂを介して当接した状態を維持することができる。
【００１９】
ここで、図３に示したように、弾性を有する金属製の冠着部材２０に配設されている周
壁部材用係止爪２４，２５は、その下端部が、図５に示すように、周壁部材３０の円状突
起部３１の上面部分に当接するように形成されている。図５に示したように、この周壁部
材用係止爪２４，２５は円状突起部３１の上面に略直角な状態で当接するように形成され
ているので、冠着部材２０に装着されている周壁部材３０を容易に外すことはできない。
【００２０】
以上説明したように、本実施例によれば、ボルト２の頭部２ａに冠着部材２０および周
壁部材３０が装着された図４に示した状態においては、ボルト２の頭部２ａを外部に露呈
することは著しく困難となる。
【００２１】
以上のように構成された本実施例１においては、自動車の修理等でナンバープレートを
外す必要が生じたときには、図６に示すような専用の係止解除具６０を用いることにより
、周壁部材３０と冠着部材２０とを容易に外すことができる。
【００２２】
この係止解除具６０は、図７（ａ）ないし（ｃ）に示したように中空円筒形の形状を有
する部材である。係止解除具６０の外径は、図７（ａ），（ｂ）に示すように周壁部材３
０の内側に嵌入可能な値に選ばれている。また、係止解除具６０の内径は、周壁部材３０
の円状突起部３１の上面部分の内径以下となるように選ばれている。
【００２３】
このような係止解除具６０を、図７（ａ）に示すように周壁部材３０に嵌入させて、そ
の先端部を図７（ｂ）に示したように円状突起部３１の上面部分に当接させると、冠着部
材２０の周壁部材用係止爪２４，２５と円状突起部３１の係合状態を解除させることがで
きる。従って図７（ｃ）に示したように、係止解除部材６０と共に周壁部材３０をボルト
頭部から離すことができる。
【００２４】
図７（ｃ）のように冠着部材２０を完全に露出させれば、この冠着部材２０はボルトの
頭部から容易に外すことができる。従ってボルトの頭部を容易に露出させることができて
ナンバープレートを容易に外すことができる。
【図面の簡単な説明】
【００２５】
【図１】本発明の実施例１の構成を示す斜視図である。
【図２】本発明の実施例１の構成を示す分解斜視図である。
【図３】本発明の実施例１の構成を示す分解斜視図である。
【図４】本発明の実施例１の構成を示す断面図である。
【図５】本発明の実施例１の構成の説明図である。
【図６】本発明の実施例１の構成の説明図である。
【図７】本発明の実施例１の構成の説明図である。
【図８】従来の車体に装着されているナンバープレートの斜視図である。
【図９】従来の車体に装着されているナンバープレートの斜視図である。
【符号の説明】
【００２６】
１  ナンバープレート
２  ボルト
２ａ  頭部
２ｂ  ワッシャー
１０  保護板
１０ａ  凹部
１１  スペーサ
１２  接着用シート
２０  冠着部材
２１  天板部
２２  側壁部
２３  ボルト用係止爪
２４，２５  周壁部材用係止爪
３０  周壁部材
３１  円状突起部
Ｍ  車体
Ｓ  空隙
【図１】
2006088826.tif 000003
【図２】
2006088826.tif 000004
【図３】
2006088826.tif 000005
【図４】
2006088826.tif 000006
【図５】
2006088826.tif 000007
【図６】
2006088826.tif 000008
【図７】
2006088826.tif 000009
【図８】
2006088826.tif 000010
【図９】
2006088826.tif 000011